(57)【要約】【課題】名所旧跡等観光地の案内を携帯電話によりおこなう。【解決手段】名所・旧跡等観光地のインターネット接続可能な携帯電話による案内システムとして、（イ）携帯電話所持者が名所・旧跡の現場で、立札の掲示に従い当該携帯電話会社に接続し、（ロ）電話器の指示に従い電話器画面に案内希望対象地として、立札のある場所を選択すれば、（ハ）サーバーはその場所内の各番号と位置の関係を示す案内図を示すので、（ニ）番号に相当する位置の案内を希望する場合はその位置に移動してその番号を選択すれば、（ホ）利用者に案内が送信される。（ヘ）その番号位置の案内が終わり利用者が他の番号の位置の案内を希望する場合は他の番号の位置に移動してその番号を選択し、案内を聴取するが、（ト）途中で止めたいときは電話を切ってもよい。（チ）所要の費用は基準料金に基づき電話代として携帯電話会社から利用者に請求され、関係する会社に配分される。【選択図】      図１
2005142701.tif 000002
【特許請求の範囲】
【請求項１】
名所・旧跡等観光地のインターネット接続可能な携帯電話による案内システムとして、（イ）インターネット接続可能な携帯電話の所持者が名所・旧跡の現場において、立て札の掲示に従い当該携帯電話を管理する電話会社に接続し、さらに（ロ）電話器の指示に従い電話器画面に案内希望対象地として、立て札のある場所を選択すれば、（ハ）サーバーはその場所内の各番号と位置の関係を示す案内図を示すので、（ニ）番号に相当する位置の案内を希望する場合はその位置に移動してその番号を選択すれば、（ホ）利用者に案内が送信される。（ヘ）その番号位置の案内が終わり利用者が他の番号の位置の案内を希望する場合は他の番号の位置に移動してその番号を選択し、案内を聴取するが、（ト）途中で止めたいときは電話を切ってもよい。（チ）所要の費用は基準料金に基づき電話代として携帯電話会社から利用者に後日請求され、携帯電話会社、サーバー設置会社、観光案内会社、ソフト作成会社、当該土地所有者に配分されることからなる。
【発明の詳細な説明】
【技術分野】
【０００１】
本発明は携帯電話による観光地の案内システムに関する。
【背景技術】
【０００２】
名所・旧跡等の観光地へ行ったとき、立った位置から見えるものの案内は、現地案内人に頼むか、観光ガイドに頼むか、現地の観光案内ハイヤーなどを利用するしか方法がない。大人数の場合はこれらの方法でもよいが、少人数の場合はコスト高につき、なかなか利用できないという問題がある。また、観覧者が少数の場合は聞きとりやすいが、大勢の場合は聞き取りにくいという問題がある。出願された特許のなかで特許文献１によれば、観光地に対し観光客の招致をアシストするものとして、観光地にサーバを設置し観光地情報を提供するというものがあり、また、特許文献２によれば、観光情報を提供する者とそれを受ける仲介業者がおり、仲介業者がインターネットを介して観光情報を公開する。観光客はインターネットを検索してから仲介業者に会い、詳細な情報を得て手数料を払い、仲介業者は観光地情報の提供者に手数料を払うというものがみられる。
【特許文献１】特開２００２−２９０５６０
【特許文献２】特開２００３−２２３５３０
【発明の開示】
【発明が解決しようとする課題】
【０００３】
本発明は名所・旧跡等の観光地へ行ったとき、案内人を要することなく、インターネット接続可能な携帯電話により観光案内を聴取するシステムを提供せんとするものである。
【課題を解決するための手段】
【０００４】
ここにおいて本発明者は、名所・旧跡等観光地のインターネット接続可能な携帯電話による案内システムとして、（イ）インターネット接続可能な携帯電話の所持者が名所・旧跡の現場において、立て札の掲示に従い当該携帯電話を管理する電話会社に接続し、さらに（ロ）電話器の指示に従い電話器画面に案内希望対象地として、立て札のある場所を選択すれば、（ハ）サーバーはその場所内の各番号と位置の関係を示す案内図を示すので、（ニ）番号に相当する位置の案内を希望する場合はその位置に移動してその番号を選択すれば、（ホ）利用者に案内が送信される。（ヘ）その番号位置の案内が終わり利用者が他の番号の位置の案内を希望する場合は他の番号の位置に移動してその番号を選択し、案内を聴取するが、（ト）途中で止めたいときは電話を切ってもよい。（チ）所要の費用は基準料金に基づき電話代として携帯電話会社から利用者に後日請求され、携帯電話会社、サーバー設置会社、観光案内会社、ソフト作成会社、当該土地所有者に配分されることからなるものを見出すに至った。
【０００５】
なお、名所・旧跡等の観光地のほか、美術館における絵画や彫刻等の説明を聞く場合も同じ問題があり、、観覧者が少数の場合は聞きとりやすいが、大勢の場合は聞き取りにくいということがあるので、本発明の携帯電話による観光地の案内システムは美術館や動物園、登山地区山岳、大型店舗においても応用できることが明らかである。
【発明の効果】
【０００６】
名所・旧跡等の観光地を見て歩いて、その場所場所で見る物の音声案内を携帯電話で簡単に聞くことがでるので、名所・旧跡等観光地の見物が楽しくなる。また、本発明を応用すれば、携帯電話による展示物等の説明により、案内人が不要になり、説明が聞き取り易く、観覧者の移動が容易になり、混雑が省け、観覧が円滑におこなわれるようになる。本発明による携帯電話を介した案内システムは観光のほか美術館や動物園、登山、大型店舗における案内などにも適用することができるので、登山の安全に貢献するほか物品の購入場所の案内等にも役立つ。
【発明を実施するための最良の形態】
【０００７】
名所・旧跡等観光地の携帯電話による案内のシステムとして、図１にその概念を示してあるが、（イ）インターネット接続可能な携帯電話所持者が名所・旧跡の現場において、立て札の掲示に従い電話会社に接続し、さらに（ロ）電話器の指示に従い電話器画面に案内希望対象地として立て札のある場所を選択すれば、（ハ）サーバーはその場所内の各番号と位置の関係を示す案内図を示すので、（ニ）番号に相当する位置の案内を希望する場合はその位置に移動してその番号を選択すれば、（ホ）利用者に案内が送信される。（ヘ）その番号位置の案内が終わり利用者が他の番号の位置の案内を希望する場合は他の番号の位置に移動しその番号を選択して案内を聴取するが、（ト）途中で止めたいときは電話を切ってもよい。（チ）所要の費用は基準料金に基づき電話代として利用者に後日請求され、携帯電話会社、サーバー設置会社、観光案内会社、ソフト作成会社、当該土地所有者に配分されるようにする。
【産業上の利用可能性】
【０００８】
観光案内が円滑におこなわれれば楽しく観光ができ、観光産業に好影響を及ぼす。
【図面の簡単な説明】
【０００９】
【図１】本発明の携帯電話による観光案内システムの概念を示す図
【図１】
2005142701.tif 000003
【手続補正書】
【提出日】平成16年12月15日(2004.12.15)
【手続補正１】
【補正対象書類名】明細書
【補正対象項目名】０００２
【補正方法】変更
【補正の内容】
【０００２】
名所・旧跡等の観光地へ行ったとき、立った位置から見えるものの案内は、現地案内人に頼むか、観光ガイドに頼むか、現地の観光案内ハイヤーなどを利用するしか方法がない。大人数の場合はこれらの方法でもよいが、少人数の場合はコスト高につき、なかなか利用できないという問題がある。また、観覧者が少数の場合は聞きとりやすいが、大勢の場合は聞き取りにくいという問題がある。これまで出願された特許のなかで観光地における風物を個別に解説するという試みはみあたらないが、本願といささか関連ある先行技術をあげれば、特許文献１として、観光地に対し観光客の招致をアシストし観光地の活性化及び観光客の利便性を図るものとして、観光地にサーバを設置し、観光スポット等の観光地情報を提供するための観光局サイトを開設し、またホテルがこの観光局サイトにアクセスできるＰＨＳ電話機を観光客に貸し出し観光客がＰＨＳ電話機で観光局サイトにアクセスして観光地情報を入手し観光スポット等におもむくというものがある。また、特許文献２によれば、観光地の推奨情報（観光地の風物の解説が含まれるとは記載ない）を提供する、すでに観光地に来ている観光客Ａとそれを登録する仲介業者Ｃがおり、仲介業者Ｃがインターネット等を介して観光地の推奨情報を公開する。観光地におもむく観光客Ｂは推奨情報をインターネットで検索して評価対象の特典を有するる観光地の業者Ｄに会い、特典等について交渉をおこない、交渉が成立すれば、観光客Ａの携帯電話等の表示装置に観光地業者Ｄのパスワードの入力画面を表示させ、観光客Ｂが観光地業者Ｄに入力を促し、観光地業者Ｄが入力して観光地の推奨情報の仲介業者Ｃに送信する。それにより、観光地の推奨情報が評価されたことになり、観光地業者Ｄが仲介業者Ｃに手数料を払い、仲介業者Ｃは観光地の推奨情報を提供した観光客Ａと推奨情報を利用せんとする観光客Ｂに対しそれぞれ商品やサービスの割引に用いることができるポイントを付与するので、既存の観光客Ａも新規の観光客Ｂと同様にポイントを利用して観光地の推奨情報を活用することが可能となり、観光地の活性化と観光客の利便性が図られるというものがみられる。さらに、特許文献３には展示会場にある各展示物の解説をする設備として、展示会場にあるサーバに対し来場者が、携帯電話回線により必要な解説情報を取り込んだのち、会場に設置してある専用の（携帯電話ではない）端末を使用して展示設備の内容を知り得るようにしてあるものもある。
【特許文献１】特開２００２−２９０５６０
【特許文献２】特開２００３−２２３５３０
【特許文献３】特開平１１−２５９４９１